(57)【要約】【課題】電池収容室に電池を収容する際の、円錐コイル状のバネ端子に対する電池の方向を、電池の負極を円錐コイル状のバネ端子の先端から接触する方向のみに規制可能な案内手段を電池収容室に設けてバネ端子および電池の保護を図った電池収容装置を提供する。【解決手段】電池収容装置１は、円柱形状の電池Ｃを収容する電池収容室２が形成され、電池収容室２の一方に、電池Ｃの負極Ｃ１と接触する円錐コイル状のバネ端子１９，３１が備えられ、他方に、電池Ｃの正極Ｃ２と接触する金属端子２３，３５が備えられている。電池収容室２には、電池を収容する際のバネ端子１９，３１に対する電池の方向を、電池Ｃの負極Ｃ１がバネ端子１９，３１の先端１９ａ，３１ａから接触する方向のみに規制可能な案内手段４０，４２が設けられている。【選択図】　　　　図１
2004139904.tif 000002
【特許請求の範囲】
【請求項１】
電池を収容可能な電池収容室が形成され、電池の負極と接触する円錐コイル状のバネ端子を備えた電池収容装置であって、電池を収容する際のバネ端子に対する電池の方向を電池の負極がバネ端子の先端から接触する方向のみに規制可能な案内手段を電池収容室に設けたことを特徴とする電池収容装置。
【請求項２】
案内手段は、電池収容室の側壁に設けられ、電池の周面を摺接して案内する湾曲部が形成された突片であることを特徴とする請求項１記載の電池収容装置。
【発明の詳細な説明】
【０００１】
【発明の属する技術分野】
本願発明は、円柱形状の電池を収容する電池収容室を備えた電池収容装置に関する。
【０００２】
【従来の技術】
従来の電池収容装置は、円柱形状の電池を収容する電池収容室が形成され、電池収容室の一方に電池の負極と接触する円錐コイル状のバネ端子を備え、他方に電池の正極と接触する金属端子を備えている（例えば、特許文献１）。
【０００３】
【特許文献１】
特開平７−３８９３４号公報
【０００４】
【発明が解決しようとする課題】
上記従来の電池収容装置６１は、円柱形状の電池Ｃを電池収容室６２に収容する際、電池Ｃの負極Ｃ１側端部Ｃ３が、図４に示すように、円錐コイル状のバネ端子６３の先端６５ではなく、側面６６から接触し、バネ端子６３を本来の形から復元不能に塑性変形させたり、壊してしまう場合があるという問題点があった。また、電池Ｃの負極Ｃ１の周縁部のカバーがバネ端子６３に引っかかって破損し、電池からの液漏れ、発熱などの事故を起こす可能性があるという問題点があった。そのため、電池を装着する者は、円柱形状の電池Ｃの負極Ｃ１を、円錐コイル状のバネ端子６３の先端６５に接触させつつ、このバネ端子６３の弾性に抗して押し込み、正極Ｃ２を金属端子６７に接触させるように注意深く行わなければならず、子ども特に幼児に電池の装着を任せることができないという問題点があった。また、バネ端子６３を本来の形から塑性変形させたり、壊してしまうと、最悪の場合、これを用いた電子機器自体が使用できなくなるという問題点があった。
【０００５】
本願発明は、上記問題点に鑑み発明されたものであって、電池収容室に電池を収容する際にバネ端子に対する電池の方向を電池の負極をバネ端子の先端から接触する方向のみに規制する案内手段を電池収容室に設け、バネ端子の保護を図り、電池からの液漏れ、発熱などの事故を防ぐとともに、電子機器等の商品寿命を伸ばすことができる電池収容装置を提供することを目的とする。
【０００６】
【課題を解決するための手段】
本願請求項１記載の電池収容装置は、上記目的を達成するため、電池を収容可能な電池収容室が形成され、電池の負極と接触する円錐コイル状のバネ端子を備えた電池収容装置であって、電池を収容する際のバネ端子に対する電池の方向を電池の負極がバネ端子の先端から接触する方向のみに規制可能な案内手段を電池収容室に設けた。
【０００７】
本願請求項２記載の電池収容装置は、上記目的を達成するため、上記円案内手段は、電池収容室の側壁に設けられ、電池の周面を摺接して案内する湾曲部が形成された突片である。
【０００８】
【発明の実施の形態】
本願発明に係る電池収容装置の実施の形態を、図１乃至図３に基づいて説明する。図１は、本願発明に係る電池収容装置の一つの実施の形態を示す全体斜視図である。図２は、図１の電池収容装置を上から視た平面図である。図３は、図１の側面断面図である。
【０００９】
電池収容装置１は、円柱形状の電池Ｃを収容する電池収容室２が形成されている。電池収容室２の一方には、電池Ｃの負極Ｃ１と接触する円錐コイル状のバネ端子１９，３１が備えられている。電池収容室２の他方には、電池Ｃの正極Ｃ２と接触する金属端子２３，３５が備えられている。電池収容室２には、案内手段４０が設けられており、電池収容室２に電池Ｃを収容する際のバネ端子１９，３１に対する電池の方向を電池Ｃの負極Ｃ１がバネ端子１９，３１の先端１９ａ，３１ａから接触する方向のみに規制する案内手段４０，４２が設けられている。案内手段４０，４２は、電池収容室２の側壁５，６に設けられ、電池Ｃの周面Ｃ４を摺接して案内する湾曲部４１，４３が形成された突片であっても構わない。
【００１０】
電池収容装置１の実施の形態について詳細に説明する。本実施の形態では、電池収容装置１は、電子機器Ａの上ケースＢ１と共に一体形成され、上ケースＢ１を下ケースＢ２にネジ９によって固定して電子機器Ａを組み立てることによって、電子機器Ａに組み込まれている。しかし、電池収容装置１は、単独でいわゆる電池ボックスとして、若しくは電子機器Ａにネジ等によって組み込まれて使用されても構わない。
【００１１】
電池収容装置１は、円柱形状の電池Ｃを収容する電池収容室２が形成されている。電池収容室２は、底壁３と、底壁３の短手方向両側に設けられた側壁５，６と、底壁３の長手方向両側に設けられた端壁７，８によって形成されている。電池収容室２は、長手方向に伸びる仕切り壁１０によって二分割された、第１の収容室１１と第２の収容室１２とからなる。なお、仕切り壁１０は、低く形成され、両側に電池Ｃの周面Ｃ４をガイドするガイド片１３が設けられている。
【００１２】
第１の収容室１１は、端壁７側に取付溝１５，１６が形成され、この取付溝１５，１６に円錐状のバネ端子１９の基部が取り付けられた金属板２０が差し込まれている。第１の収容室１１は、端壁８側に取付溝２１，２２が形成され、この取付溝２１，２２に凸部（金属端子）２３が形成された金属板２４が差し込まれている。第１の収容室１１は、電池Ｃを直列に２本収容できるようになっている。第１の収容室１１の底壁３略中央には、電池Ｃの正極突起Ｃ２を係止する係止凹部２６を備えた摺動部材２７が摺動自在に設けられ、この摺動部材２７によって２本の電池Ｃ、Ｃが適正に収容されるようになっている。
【００１３】
同様に、第２の収容室１２は、端壁８側に取付溝２９，３０が形成され、この取付溝２９，３０に円錐状のバネ端子３１の基部が取り付けられた金属板３２が差し込まれている。第２の収容室１２は、端壁７側に取付溝３３，３４が形成され、この取付溝３３，３４に凸部（金属端子）３５が形成された金属板３６が差し込まれている。第２の収容室１２は、第１の収容室１１と反対の方向に電池Ｃを直列に２本収容できるようになっている。第２の収容室１２の底壁３略中央には、電池Ｃの正極突起Ｃ２を係止する係止凹部３７を備えた摺動部材３８が摺動自在に設けられ、この摺動部材３８によって２本の電池Ｃ、Ｃが適正に収容されるようになっている。端壁８側の金属板２４と金属板３２は、導電線等によって電気的に接続されている。
【００１４】
第１の収容室１１の側壁５であって、バネ端子１９近傍には、案内手段４０が設けられている。案内手段４０は、側壁５上のバネ端子１９の先端１９ａ近傍の位置に突設された突片であって、電池Ｃの周面Ｃ４上部を摺接して案内する湾曲部４１が形成されている。突片４０と仕切り壁１０の隙間は電池Ｃの直径より小さく形成されており、電池Ｃは、突片４０と仕切り壁１０の隙間から第１の収容室１１内に収容することができないので、図３に示すように、電池Ｃの負極Ｃ１側を突片４０の湾曲部４１に摺接させるようにして収容させることしかできず、バネ端子１９に対する電池Ｃの方向は、電池Ｃの負極Ｃ１がバネ端子１９の先端１９ａから接触する方向のみに規制される。そのため、電池Ｃは、負極Ｃ１側端部Ｃ３がバネ端子１９の側面１９ｂから当接することがないので、塑性変形させたり壊したりすることがなく、また、電池Ｃの負極Ｃ１の周縁のカバーに引っかかることもない。
【００１５】
同様に第２の収容室１２の側壁６であって、バネ端子３１近傍には、案内手段４２が設けられている。案内手段４２は、側壁６上のバネ端子３１の先端３１ａ近傍の位置に突設された突片であって、電池Ｃの周面Ｃ４上部を摺接して案内する湾曲部４３が形成されている。突片４２と仕切り壁１０の隙間は電池Ｃの直径より小さく形成されており、電池Ｃは、突片４２と仕切り壁１０の隙間から第１の収容室１２内に収容することができないので、図３に示すのと同様に、電池Ｃの負極Ｃ１側を突片４２の湾曲部４３に摺接させるようにして収容させることしかできず、バネ端子３１に対する電池Ｃの方向は、電池Ｃの負極Ｃ１がバネ端子３１の先端３１ａから接触する方向のみに規制される。そのため、電池Ｃは、負極Ｃ１側端部Ｃ３がバネ端子３１の側面３１ｂから当接することがないので、塑性変形させたり壊したりすることがなく、また、電池Ｃの負極Ｃ１の周縁のカバーに引っかかることもない。
【００１６】
上記したように、案内手段４０，４２は、薄い板状の突片１つで形成したので、簡単且つ低コストで形成することができ、しかも一体成形で形成することができるが、突片を２つにして対向させて配置しても構わないのは勿論である、また、案内手段４０，４２は、電池収容室２に電池Ｃを収容する際に、バネ端子３１に対する電池Ｃの方向を電池Ｃの負極Ｃ１がバネ端子１９，３１の先端１９ａ，３１ａから接触する方向のみに規制するためのものであり、簡単且つ低コストであるため突片が望ましいが、突片に限定されるものではなく、設計上種々変更することができるのは勿論である。なお、４５は、電池収容室２の蓋部材であって、一端４６が上ケースＢ１の一側に係止され、他端４７が上ケースＢ１の他側にネジ４９により取り付けられている。
【００１７】
【発明の効果】
以上説明してきたように、本願請求項１に係る電池収容装置は、円柱形状の電池を収容する電池収容室が形成され、電池収容室の一方に電池の負極と接触する円錐コイル状のバネ端子を備え、他方に電池の正極と接触する金属端子を備えており、電池のバネ端子に対する方向を電池の負極がバネ端子の先端から接触する方向のみに規制する案内手段を電池収容室に設けたので、円柱形状の電池を電池収容室に収容する際、電池の負極側端部が、円錐コイル状のバネ端子の側面から接触して、バネ端子を塑性変形させたり、壊してしまうことがなく、バネ端子を保護することができ、電池の負極周縁のカバーにバネ端子が引っかかり電池から液漏れ、発熱などの事故が生じるのを防ぐことができ、これを用いた電子機器等の商品寿命を伸ばすことができるという効果がある。さらに、子ども等にも安心して電池の装着を任せることができるという効果がある。
【００１８】
本願請求項２に係る電池収容装置は、上記効果に加え、案内手段が、電池収容室の側壁に設けられ、電池の周面を摺接して案内する湾曲部が形成された突片であるので、一体成形により簡単且つ低コストで製造することができるという効果がある。
【図面の簡単な説明】
【図１】本願発明に係る電池収容装置の一つの実施の形態を示す全体斜視図である。
【図２】図１の電池収容装置を上から視た平面図である。
【図３】図１の側面断面図である。
【図４】従来の電池収容装置の側面断面図である。
【符号の説明】
Ａ　電子機器
Ｂ１　上ケース
Ｂ２　下ケース
Ｃ　電池
Ｃ１　負極
Ｃ２　正極
Ｃ３　端部
Ｃ４　周面
１　電池収容装置
２　電池収容室
３　底壁
５　側壁
６　側壁
７　端壁
８　端壁
９　ネジ
１０　仕切り壁
１１　第１の収容室
１２　第２の収容室
１３　ガイド片
１５　取付溝
１６　取付溝
１９　バネ端子
１９ａ　先端
１９ｂ　側面
２０　金属板
２１　取付溝
２２　取付溝
２３　凸部（金属端子）
２４　金属板
２６　係止凹部
２７　摺動部材
２９　取付溝
３０　取付溝
３１　バネ端子
３１ａ　先端
３１ｂ　側面
３２　金属板
３３　取付溝
３４　取付溝
３５　凸部（金属端子）
３６　金属板
３７　係止凹部
３８　摺動部材
４０　案内手段（突片）
４１　湾曲部
４２　案内手段（突片）
４３　湾曲部
４５　蓋部材
４６　一端
４７　他端
４９　ネジ
【図１】
2004139904.tif 000003
【図２】
2004139904.tif 000004
【図３】
2004139904.tif 000005
【図４】
2004139904.tif 000006